(57)【要約】      （修正有）【課題】出荷前ＲＦＩＤラベルの検査読取において、疑似環境を用いた通信特性の調整を容易に行う。【解決手段】非接触通信媒体１２０と、制御部に接続された読取りアンテナを有し前記非接触通信媒体を検出する為に設置された非接触通信リーダ１１０と、非接触通信媒体の共振特性を調整する調整アンテナ１４０と、その調整アンテナを設置する調整アンテナ設置部１３０を備えた非接触通信媒体読取りシステムとし、調整アンテナ１４０を、その調整アンテナ設置部１３０に対して交換可能とする。【選択図】図１
2014170454.tif 000002
【特許請求の範囲】
【請求項１】
非接触通信媒体と、前記非接触通信媒体を検出する為に設置された非接触通信リーダと、前記非接触通信媒体の共振特性を調整する調整アンテナと、前記調整アンテナを設置する調整アンテナ設置部を備えた非接触通信媒体読取りシステムであって、
前記調整アンテナは、前記調整アンテナ設置部に対して交換可能であることを特徴とする非接触通信媒体読取りシステム。
【請求項２】
前記調整アンテナは、前記非接触通信媒体を介し前記非接触通信リーダとは反対側に設置されていることを特徴とする請求項１記載の非接触通信媒体読取りシステム。
【発明の詳細な説明】
【技術分野】
【０００１】
本発明は、ＩＣチップとアンテナを搭載した非接触通信媒体を読み取る読取システムに関する。  
【背景技術】
【０００２】
従来より、物品に貼付された非接触通信媒体であるＲＦＩＤタグからその読取装置である非接触通信媒体読取装置を使用してデータを読み取ることが行われている。（例えば、特許文献１参照。）  
【０００３】
図５は、非接触通信媒体読取装置からＲＦＩＤタグを読み取るシステムの一例である。  本例は、図５に示すように、非接触通信媒体読取装置５００の一部である非接触通信媒体読取装置のアンテナ部５１０により、ＲＦＩＤタグ５２０を読み取っている。このアンテナ部５１０は、内蔵された給電部５１２と放射電極５１１を共振させてＲＦＩＤタグ５２０を正常に読み取れるように調節している。
【先行技術文献】
【特許文献】
【０００４】
【特許文献１】特開２００９−１８７５４９号公報
【発明の概要】
【発明が解決しようとする課題】
【０００５】
しかしながら、上述したような装置にて出荷前の非接触通信ラベルを検査読取しようとした場合、非接触通信媒体は取り付け物品の金属や誘電体の影響を受けて通信特性を変化させる為、非接触通信媒体のアンテナ形状や貼り付け物品が変わる毎に、貼り付け対象に合わせて貼り付け前の通信特性を調整する必要がある。そのため、検査時には、実際に貼り付け物品に貼り合わせた状態であることを疑似的に再現するために非接触通信媒体読取装置をその疑似環境に合わせて設定するため交換しなければいけなくなり、調整が複雑になる問題点がある。また、リーダそのものを交換するため、検査の信頼性の確認が困難なものとなる。
【０００６】
本発明は上述したような従来の技術が有する問題点に鑑みてなされたものであって、非接触通信媒体のアンテナの形状や貼り付け対象の物品の特性に合わせて非接触通信リーダを交換せずに読み取りを容易に行うことを目的とする。
【課題を解決するための手段】
【０００７】
上記目的を達成するために本発明は、非接触通信媒体と、前記非接触通信媒体を検出する為に設置された非接触通信リーダと、非接触通信媒体の共振特性を調整する調整アンテナと、その調整アンテナを設置する調整アンテナ設置部を備えた非接触通信媒体読取りシステムであって、
調整アンテナは、その調整アンテナ設置部に対して交換可能である。
【０００８】
上記のように構成された発明においては、非接触通信リーダとは別体となる調整アンテナを設ける構成となっている為、非接触通信媒体のアンテナが変更されたり取り付け対象の物品が変更された場合でも、非接触通信リーダを交換せずに疑似的に物品に取り付けた環境を再現して読取を行うことができる
【０００９】
また、調整アンテナは、非接触通信媒体を介し非接触通信リーダとは反対側に設置されている。
【００１０】
上記のように構成された発明においては、調整アンテナを非接触通信媒体を介し非接触通信リーダとは反対側に設置することにより、非接触通信リーダと非接触通信媒体の間の空間で起こりえる調整アンテナ等に付随する誘電体によって生じる周波数特性劣化の影響を回避することができる。
【発明の効果】
【００１１】
以上、説明したように、本発明においては、非接触通信リーダとは別体となる調整アンテナを設ける構成となっている為、非接触通信媒体のアンテナが変更されたり取り付け対象が変更された場合でも、非接触通信リーダを交換せずに、調整アンテナを交換することにより疑似的に物品に取り付けた環境を再現して読取を行うことができる。また、調整アンテナを非接触通信媒体を介し非接触通信リーダとは反対側に設置することにより、非接触通信リーダと非接触通信媒体の間の空間で起こりえる調整アンテナ等に付随する誘電体等によって生じる周波数特性劣化の影響を回避することができる。
【図面の簡単な説明】
【００１２】
【図１】本発明の非接触通信媒体読取システムの実施の一形態の1つ目を示す図である。
【００１３】
【図２】本発明の非接触通信媒体読取システムの実施の一形態の２つ目を示す図である。
【００１４】
【図３】本発明の非接触通信媒体読取システムの実施の一形態の３つ目を示す図である。
【００１５】
【図４】本発明の非接触通信媒体読取システムの実施の一形態の４つ目を示す図である。
【００１６】
【図５】従来技術の一例を示す図である。
【発明を実施するための形態】
【００１７】
以下に、本発明の実施の形態について図面を参照して説明する。図１は本発明の非接触通信媒体読取システムの実施の一形態を示す図である。  本形態は、図１に示すように、制御部（不図示）に接続された非接触通信リーダ１１０が設置され、ＩＣチップ１２２とそのＩＣチップ１２２に接続され、折り曲げてあるダイポールアンテナであるアンテナ１２１を搭載したラベル基材１２３よりなる非接触通信媒体である非接触通信ラベル１２０が、剥離紙である搬送基材１５０に複数貼付された状態で非接触通信リーダ１１０に読み取られる状態で搬送されている。そして読取対象の非接触通信ラベル１２０を介して非接触通信リーダ１１０とは反対方向には長方形状の面である調整アンテナ１４０を搭載した樹脂基板であるアンテナ搭載基材１６０が設けられている。この調整アンテナ１４０は、地面またはその他装置の箇所に設置されている調整アンテナ設置部１３０に取り付けられて設置されている。この調整アンテナ１４０と調整アンテナ設置部１３０は、アンテナ搭載基材１６０を介し、凹凸の嵌合や螺子等での取り付けにより分離して交換可能に構成されている。
【００１８】
以下に、本形態の動作原理を説明する。出荷前の非接触通信ラベル１２０を検査読取しようとした場合、非接触通信ラベル１２０は取り付け物品の金属や誘電体の影響を受けて通信特性を変化させる為、アンテナ形状や貼り付け物品が変わる毎に、貼り付け対象に合わせて貼り付け前の通信特性を調整する必要があり、実際に貼り付け物品に貼り合わせた状態であることを疑似的に再現する必要がある。  その為、その疑似環境と同様の周波数特性を出す為に、剥離紙である搬送基材１５０が貼付された状態の非接触通信ラベル１２０と調整アンテナ１４０が組み合わされて共振した状態と、剥離紙が取り払われた非接触通信ラベル１２０が使用される物品に取り付けられた状態での周波数特性が同様になるように調整アンテナ１４０が設計されている。  その為、非接触通信リーダ１１０が、非接触通信ラベル１２０と調整アンテナ１４０を読み取り範囲内に入るように電波を照射すると、非接触通信ラベル１２０と調整アンテナ１４０が共振し、疑似的に物品に取り付けられた状態と同じ周波数特性を示して通信できるようになる。  また、樹脂基板であるアンテナ搭載基材１６０は誘電体である為、非接触通信リーダ１１０と非接触通信ラベル１２０との間に誘電体が入らない構成により、なるべく誘電体の影響による電波の減衰の影響を受けないようになっている。
【００１９】
以下に、本発明である非接触通信媒体読取システムの2つ目の実施の形態について図面を参照して説明する。図２は本発明の実施の2つ目の形態を示す図である。  本形態は、1つ目の実施の形態と、非接触通信ラベル上のアンテナの形状と調整アンテナの形状が異なっている。  図２に示すように、制御部（不図示）に接続された非接触通信リーダ２１０が設置され、ＩＣチップ２２２とそのＩＣチップ２２２に接続され、ループ状のアンテナ２２１を搭載したラベル基材２２３よりなる非接触通信媒体である非接触通信ラベル２２０が、剥離紙である搬送基材２３０に複数貼付された状態で非接触通信リーダ２１０に読み取られる状態で搬送されている。そして読取対象の非接触通信ラベル２２０を介して非接触通信リーダ２１０とは反対方向には蛇行しているメアンダ状の調整アンテナ２４０を搭載した樹脂基板であるアンテナ搭載基材２６０が設けられている。この調整アンテナ２４０は、地面またはその他装置の箇所に設置されている調整アンテナ設置部２３０に取り付けられて設置されている。この調整アンテナ２４０と調整アンテナ設置部２３０は、アンテナ搭載基材２６０を介し、凹凸の嵌合や螺子等での取り付けにより、分離して交換可能に構成されている。
【００２０】
以下に、本形態の動作原理を説明する。本形態は、1つ目の実施の形態に代わって、非接触通信ラベル２２０にループ状のアンテナ２２１を搭載しており、このループ状のアンテナ２２１が物品に取り付けられた際に生じる周波数特性に合わせて調整アンテナを調整し、蛇行しているメアンダ状の調整アンテナ２４０を設けている。このように調整アンテナ設置部２３０に蛇行しているメアンダ状の調整アンテナ２４０を設置することにより、物品に取り付けられた際の環境と同一環境を疑似的に作り出している。
【００２１】
以下に、本発明である非接触通信媒体読取システムの３つ目の実施の形態について図面を参照して説明する。図３は本発明の実施の３つ目の形態を示す図である。  本形態は、２つ目の実施の形態に対し、調整アンテナの位置が異なるとともに、アンテナ搭載基材が無くなっている。図３に示すように、制御部（不図示）に接続された非接触通信リーダ３１０が設置され、ＩＣチップ３２２とそのＩＣチップ３２２に接続され、ループ状のアンテナ３２１を搭載したラベル基材３２３よりなる非接触通信媒体である非接触通信ラベル３２０が、剥離紙である搬送基材３３０に複数貼付された状態で非接触通信リーダ３１０に読み取られる状態で搬送されている。そして読取対象の非接触通信ラベル３２０と非接触通信リーダ３１０の間には蛇行しているメアンダ状の調整アンテナ３４０が設けられている。この調整アンテナ３４０は、地面またはその他装置の箇所に設置されている調整アンテナ設置部３３０に取り付けられて設置されている。調整アンテナ３４０は針金等にて構成され、調整アンテナ設置部３３０は、搬送基材３５０を挟むように配置され、調整アンテナ３４０の両端を保持するように構成されている。この調整アンテナ３４０と調整アンテナ設置部３３０は、針金の差し込み等での取り付けにより、分離して交換可能に構成されている。
【００２２】
以下に、本形態の動作原理を説明する。  本実施形態でも、2つ目の実施形態と同様に、調整アンテナ設置部３３０に対し蛇行しているメアンダ状の調整アンテナ３４０を設置することにより、物品に取り付けられた際の環境と同一環境を疑似的に作り出している。上述の1つ目と2つ目の実施形態とは異なり、調整アンテナ３４０は、非接触通信リーダ３１０と非接触通信ラベル３４０の間に配置されているが、誘電体であるアンテナ搭載基材が無い為、1つ目と2つ目の実施形態と同様に、極力非接触通信リーダからの電波出力の減衰を抑えて共振することができる。
【００２３】
上述した3つ目の実施形態においては、アンテナ搭載基材を用いない構成を示したが、図４のように、アンテナ搭載基材４６０を設けていても構わない。
【００２４】
以上、本願の各実施形態に示すように、非接触通信媒体を交換することに合わせて、非接触通信リーダとは別体となる調整アンテナを交換可能に設けることにより、物品に取り付けられた際の環境と同一環境を疑似的に作りだして読取検査を行うことができる。
【００２５】
上述の各実施形態においては、非接触通信ラベルの一例としてダイポールまたはループ状のアンテナを示し、調整アンテナとして長方形形状やメアンダ形状のアンテナを例示したが、本願アンテナの形状はこれに限定されず、複数巻のコイル状やスロットが形成されているアンテナなど、いかなるアンテナの形状であっても物品取付時と同様の特性が得られるように調整できるのであればいかなる形状でも構わない。
【００２６】
また、本願は、アンテナの形状の変更に限らず、ラベルに対してのアンテナの向きが変わった際や、非接触通信ラベルの大きさが変更された際等にも適用させることができる。
【００２７】
また、本願の調整アンテナ設置部として、調整アンテナを片方または両側から保持する構成を示したが、本願はこれに限らず、調整アンテナを分離して交換可能に保持できるのであれば、いかなる形状になっていてもかまわない。 
【符号の説明】
【００２８】
１００，２００，３００，４００  非接触通信媒体読取システム    １１０，２１０，３１０，４１０  非接触通信リーダ    １２０，２２０，３２０，４２０  非接触通信ラベル    １２１，２２１，３２１，４２１  アンテナ    １２２，２２２，３２２，４２２  ＩＣチップ    １２３，２２３，３２３，４２３  ラベル基材    １３０，２３０，３３０，４３０  調整アンテナ設置部    １４０，２４０，３４０，４４０  調整アンテナ    １５０，２５０，３５０，４５０  搬送基材    １６０，２６０，３６０，４６０  アンテナ搭載基材    ５００  非接触通信媒体読取装置    ５１０  非接触通信媒体読取装置のアンテナ部    ５１１  放射電極    ５１２  給電部    ５１３  筐体    ５２０  ＲＦＩＤタグ    ５２１  アンテナ    ５２２  ＩＣチップ    ５２３  基材 
【図１】
2014170454.tif 000003
【図２】
2014170454.tif 000004
【図３】
2014170454.tif 000005
【図４】
2014170454.tif 000006
【図５】
2014170454.tif 000007